(57)【要約】【課題】水の沸点以上の蒸気を利用してご飯の食味を向上させる炊飯器において、蓋加熱板に設けた蒸気発生部に水が無いときは蓋加熱板の温度上昇による鍋内上層のご飯の乾燥を低減するとともに蓋加熱板を過加熱するのを防止する。【解決手段】鍋２を鍋加熱手段３により加熱し、鍋２を覆う蓋に配置した蓋加熱板１０を蓋加熱手段１３により加熱する。蓋加熱板１０に水を貯え蒸気に生成する蒸気発生部を設け、蓋温度検知手段１５の検知温度に応じて水有無検知手段２１により蓋加熱板１０に貯えた水の有無を検知し、鍋加熱手段３と蓋加熱手段１３をマイクロコンピュータ２３により制御する。マイクロコンピュータ２３は、水無し検知結果に対応した水無し炊飯シーケンスと水有り検知結果に対応した水有り炊飯シーケンスとを有し、水無し炊飯シーケンスの消費電力量を水有り炊飯シーケンスの消費電力量より少なくなるよう構成する。【選択図】図１
2009022404.tif 000002
【特許請求の範囲】
【請求項１】
炊飯器本体と、前記炊飯器本体の内部に収納し米と水を入れる鍋と、前記鍋を加熱する鍋加熱手段と、前記鍋の開口部を覆う蓋と、前記蓋に配置した蓋加熱板と、前記蓋加熱板を加熱する蓋加熱手段と、前記蓋加熱板に設け水を貯えこの水を蒸気に生成する蒸気発生部と、前記蓋加熱板の温度を検知する蓋温度検知手段と、前記温度検知手段の検知温度に応じて前記蓋加熱板に貯えられた水の有無を検知する水有無検知手段と、前記鍋加熱手段と前記蓋加熱手段を制御する制御手段とを備え、前記制御手段は、前記水有無検知手段の水無し検知結果に対応した水無し炊飯シーケンスと水有り検知結果に対応した水有り炊飯シーケンスとを有し、前記水無し炊飯シーケンスの消費電力量を前記水有り炊飯シーケンスの消費電力量より少なくなるよう構成した炊飯器。
【請求項２】
制御手段は、水無し検知結果に対応した水無し炊飯シーケンスでは、水有り検知結果に対応した水有り炊飯シーケンスより小さい消費電力で少なくとも蓋加熱手段を制御するようにした請求項１記載の炊飯器。
【請求項３】
制御手段は、水無し検知結果に対応した水無し炊飯シーケンスでは、水有り検知結果に対応した水有り炊飯シーケンスより小さい通電率で少なくとも蓋加熱手段を制御するようにした請求項１または２記載の炊飯器。
【請求項４】
水有無検知手段による水有り無しの結果を表示する表示手段を備えた請求項１〜３のいずれか１項に記載の炊飯器。
【請求項５】
水有無検知手段による水有り無しの結果を報知する報知手段を備えた請求項１〜４のいずれか１項に記載の炊飯器。
【請求項６】
制御手段は、白米、無洗米、玄米などの米の種類や炊き方に応じた炊飯メニューと、前記炊飯メニューを選択する選択手段とを有し、選択された炊飯メニューに応じて消費電力量を変更するようにした請求項１〜５のいずれか１項に記載の炊飯器。
【発明の詳細な説明】
【技術分野】
【０００１】
本発明は、水の沸点以上の蒸気を利用してご飯の食味を向上させる炊飯器に関するものである。
【背景技術】
【０００２】
一般的な家庭用の炊飯器においては、鍋内の米と水を加熱するために鍋底部に配置した鍋加熱手段が主であり、蓋内の加熱手段は鍋内の米、水の上方の空間を介するため、結果的に補助的な加熱となる。よって、鍋内上層の米は加熱量が不足し、鍋内の米、水を均一な加熱をすることができなかった。
【０００３】
さらに、本来、炊飯においては、水がほぼ無くなり米の流動性がなくなる、炊飯の最終工程である蒸らし工程で、それまでの加熱を継続し、米澱粉の糊化を完成させることが、美味なるご飯を炊くために必須であるが、この工程で、加熱を継続すると鍋底付近のご飯が焦げてしまうため加熱を弱めることが多かった。
【０００４】
加熱を弱めることに伴う糊化不足を防止し、食味を向上させるための手段としては、蓋内の給水容器にあらかじめ水を貯留し、この水を蓋に設けた蓋加熱板に供給して蒸気を発生させ鍋内上部の加熱を促進する炊飯器が提案されている（例えば、特許文献１参照）。
【特許文献１】特開２００５−１６０９１７号公報
【発明の開示】
【発明が解決しようとする課題】
【０００５】
しかしながら、このような従来の構成では、使用者が誤って蓋内の給水容器に水を入れないと蓋加熱板に貯留される水がなく、また、十分な水を供給しないと炊飯途中でなくなってしまい、蓋加熱板の温度上昇により鍋内上層のご飯の水分が蒸発して乾燥し、逆に食味を低下させる恐れがある。また、蓋や蓋加熱手段などが温度上昇して変形や故障する恐れがあるという問題を有していた。
【０００６】
本発明は上記従来の課題を解決するもので、蓋加熱板に設けた蒸気発生部に水が有るときは蒸気を発生しその蒸気を最大限に利用した制御を行って調理性能を向上し、蒸気発生部に水が無いときは蒸気を発生するためのエネルギーを追加するのをなくすることで、蓋加熱板の温度上昇による鍋内上層のご飯の乾燥を低減するとともに蓋加熱板を過加熱するのを防止することを目的としている。
【課題を解決するための手段】
【０００７】
本発明は上記目的を達成するために、炊飯器本体の内部に米と水を入れる鍋を収納し、この鍋を鍋加熱手段により加熱し、鍋の開口部を蓋により覆い、この蓋に配置した蓋加熱板を蓋加熱手段により加熱し、蓋加熱板に水を貯えこの水を蒸気に生成する蒸気発生部を設け、蓋加熱板の温度を検知する蓋温度検知手段の検知温度に応じて水有無検知手段により蓋加熱板に貯えられた水の有無を検知し、鍋加熱手段と蓋加熱手段を制御手段により制御するよう構成し、制御手段は、水有無検知手段の水無し検知結果に対応した水無し炊飯シーケンスと水有り検知結果に対応した水有り炊飯シーケンスとを有し、水無し炊飯シーケンスの消費電力量を水有り炊飯シーケンスの消費電力量より少なくなるよう構成したものである。
【０００８】
これにより、蓋加熱板に設けた蒸気発生部に水が有るときは蒸気を発生することができてその蒸気を最大限に利用した制御を行って調理性能を向上することができ、蒸気発生部に水が無いときは蒸気を発生するためのエネルギーを追加するのをなくすることで、蓋加熱板の温度上昇による鍋内上層のご飯の乾燥を低減できるとともに蓋加熱板を過加熱するのを防止することができる。
【発明の効果】
【０００９】
本発明の炊飯器は、蓋加熱板に設けた蒸気発生部に水が有るときは蒸気を発生することができてその蒸気を最大限に利用した制御を行って調理性能を向上することができ、蒸気発生部に水が無いときは蓋加熱板の温度上昇による鍋内上層のご飯の乾燥を低減できるとともに、蒸気を発生するためのエネルギーを追加するのをなくすることで、蓋加熱板を過加熱するのを防止することができる。
【発明を実施するための最良の形態】
【００１０】
第１の発明は、炊飯器本体と、前記炊飯器本体の内部に収納し米と水を入れる鍋と、前記鍋を加熱する鍋加熱手段と、前記鍋の開口部を覆う蓋と、前記蓋に配置した蓋加熱板と、前記蓋加熱板を加熱する蓋加熱手段と、前記蓋加熱板に設け水を貯えこの水を蒸気に生成する蒸気発生部と、前記蓋加熱板の温度を検知する蓋温度検知手段と、前記温度検知手段の検知温度に応じて前記蓋加熱板に貯えられた水の有無を検知する水有無検知手段と、前記鍋加熱手段と前記蓋加熱手段を制御する制御手段とを備え、前記制御手段は、前記水有無検知手段の水無し検知結果に対応した水無し炊飯シーケンスと水有り検知結果に対応した水有り炊飯シーケンスとを有し、前記水無し炊飯シーケンスの消費電力量を前記水有り炊飯シーケンスの消費電力量より少なくなるよう構成したものであり、蓋加熱板に設けた蒸気発生部に水が有るときは蒸気を発生することができてその蒸気を最大限に利用した制御を行って調理性能を向上することができ、蒸気発生部に水が無いときは蒸気を発生するためのエネルギーを追加するのをなくすることで、蓋加熱板の温度上昇による鍋内上層のご飯の乾燥を低減できるとともに、蓋加熱板を過加熱するのを防止することができ、蓋や蓋加熱手段が変形や故障するのをなくすことができ、信頼性を向上することができる。また、水有り時と水無し時とでそれぞれ必要な消費電力量で炊飯できるので、省電力炊飯が可能な炊飯器を提供することができる。
【００１１】
第２の発明は、上記第１の発明において、制御手段は、水無し検知結果に対応した水無し炊飯シーケンスでは、水有り検知結果に対応した水有り炊飯シーケンスより小さい消費電力で少なくとも蓋加熱手段を制御するようにしたものであり、水無し炊飯シーケンスでは鍋加熱手段、蓋加熱手段の内少なくとも蓋加熱手段を小さい消費電力で制御することで、蓋加熱板に設けた蒸気発生部に水が無いときに蓋加熱板の熱容量が小さくなっても、印加する消費電力を小さくするので、温度変動幅を小さくすることができ、瞬間的に蓋加熱板の温度が上昇するのを防止することができる。
【００１２】
第３の発明は、上記第１または第２の発明において、制御手段は、水無し検知結果に対応した水無し炊飯シーケンスでは、水有り検知結果に対応した水有り炊飯シーケンスより小さい通電率で少なくとも蓋加熱手段を制御するようにしたものであり、水無し炊飯シーケンスでは鍋加熱手段、蓋加熱手段の内少なくとも蓋加熱手段を小さい通電率で制御することで、蓋加熱板に設けた蒸気発生部に水が無いときに蓋加熱板の熱容量が小さくなっても、温度の上昇時間を短くしているので、温度上昇を抑えることができ、瞬間的に蓋加熱板の温度が上昇するのを防止することができる。
【００１３】
第４の発明は、上記第１〜３のいずれか１つの発明において、水有無検知手段による水有り無しの結果を表示する表示手段を備えたものであり、使用者が今回の炊飯時に蓋加熱板に設けた蒸気発生部に水があったがどうかを知ることができ、水の有無による炊飯性能の差を確認することができる。その結果、つぎの炊飯での水の入れ忘れを防止することができる。
【００１４】
第５の発明は、上記第１〜４のいずれか１つの発明において、水有無検知手段による水有り無しの結果を報知する報知手段を備えたものであり、使用者が今回の炊飯時に蓋加熱板に設けた蒸気発生部に水があったがどうかを認識することができ、水の有無による炊飯性能の差を確認することができる。
【００１５】
第６の発明は、上記第１〜５のいずれか１つの発明において、制御手段は、白米、無洗米、玄米などの米の種類や炊き方に応じた炊飯メニューと、前記炊飯メニューを選択する選択手段とを有し、選択された炊飯メニューに応じて消費電力量を変更するようにしたものであり、米の種類や炊き方に応じた加熱が可能となり、また、水の有無に応じて消費電力量を調整するので、省電力炊飯が可能な炊飯器を提供することができる。
【００１６】
以下、本発明の実施の形態について、図面を参照しながら説明する。なお、本実施の形態によって本発明が限定されるものではない。
【００１７】
（実施の形態１）
図１は本発明の実施の形態１における炊飯器のブロック図、図２は同炊飯器の断面図、図３は同炊飯器の蓋加熱板の一部切欠した拡大斜視図、図４は同炊飯器の温度検知手段の拡大断面図、図５は同炊飯器の蓋加熱手段の平面図、図６は同炊飯器の操作表示部の拡大平面図を示すものである。なお、図面を簡潔にするために、電気的接続のためのリード線や水の給水経路等は省略してある。
【００１８】
図１および図２に示すように、炊飯器本体１は、上面を開口し、鍋２を着脱自在に収納し、鍋２の上面を覆う蓋７を開閉自在に設置している。鍋加熱手段３は、鍋２を加熱するもので、鍋収納部４の外側に鍋２の底面部に対向するように渦巻状に巻かれた鍋加熱コイル５を配置しており、鍋加熱コイル５から発生する磁界により鍋２の底部分を誘導加熱するようにしている。
【００１９】
鍋温度検知手段６は、鍋２の温度を検知するもので、炊飯器本体１の内部に配置している。この鍋温度検知手段６は、サーミスタで構成し、鍋２の底部に配置している。サーミスタは温度で抵抗値が変わるので、このサーミスタと所定の抵抗値を有する抵抗で分圧回路を構成し、所定の電圧をこの分圧回路の両端に供給することで、サーミスタの抵抗値をアナログ電圧に変換する。
【００２０】
蓋７には鍋２内を上方から加熱するステンレス製の蓋加熱板１０を着脱自在に設けている。蓋加熱板１０には、図３に示すように、水を貯留しこの水を蒸気に生成する凹部状の蒸気発生部１１を設けている。また、蒸気となる水を貯留する給水タンク８を着脱自在に取り付けている。ポンプ９は給水タンク８に接続し、給水タンク８内に貯えた水を蓋加熱板１０に供給する。蒸気噴出口１２は水が加熱され蒸気になり鍋２内に蒸気を供給する出口で、蒸気発生部１１と対角の位置に設けている。
【００２１】
蓋加熱手段１３は、蓋加熱板１０を加熱するもので、蓋７に設けた蓋加熱板１０の中心の略真上に中心を有し、渦巻状に巻かれた蓋加熱コイル１４を備えており、蓋加熱コイル１４が発生する磁界で蓋加熱板１０を誘導加熱するようにしている。さらに、蓋加熱手段１３は、図５に示すように、蒸気発生部１１をより加熱ができるように、誘導コイルからなる補助加熱手段１３Ａを直列に接続しており、凹部状の蒸気発生部１１を加熱する位置に設けている。
【００２２】
蓋温度検知手段１５は、蓋加熱板１０の温度を検知するもので、図４に示すように、温度により抵抗値を変える蓋サーミスタ１６とこの蓋サーミスタ１６の後方から出ている２本のサーミスタリード線１６Ａを貫通するサーミスタ碍子１６Ｂを蓋サーミスタ１６のガラス部と溶着している。サーミスタリード線１６Ａの外周には絶縁チューブ１６Ｃを設け、サーミスタリード線１６Ａ同士の短絡を防止している。蓋サーミスタ１６の外周には蓋サーミスタ１６を保持し、かつ有底筒状のアルミニウムやステンレスでできたコンタクト１７に内装されている。蓋サーミスタ１６の先端は、ポリイミドフィルム等の樹脂製のフィルムでできた絶縁フィルム１８を介してコンタクト１７の底面部に当接している。蓋サーミスタ１６の側面外側には、樹脂製のホルダー１９を設け、蓋サーミスタ１６の姿勢を安定させるとともに、コンタクト１７とサーミスタリード線１６Ａの沿面距離を増やし、コンタクト１７に人間等から入る静電気を防止する。また、コンタクト１７は蒸気発生部１１に配置した凸部２０で、かつ補助加熱手段１３Ａの中心部に当接する位置に設けている。
【００２３】
また、温度検知手段１５を構成する蓋サーミスタ１６は、温度で抵抗値が変わるので、この蓋サーミスタ１６と所定の抵抗値を有する抵抗で分圧回路を構成し、所定の電圧をこの分圧回路の両端に供給することで、蓋サーミスタ１６の抵抗値をアナログ電圧に変換する。
【００２４】
水有無検知手段２１は、温度検知手段１５の検知温度に応じて、蒸気発生部１１に貯えた水の有無を検知するもので、制御基板２２に設けたマイクロコンピュータ（制御手段）２３に構成しており、温度検知手段１５からのアナログ電圧より内蔵されたＡＤ変換器を用いて温度を判断し、温度検知手段１５の検知温度があらかじめ設定されている１００℃より高い温度Ｔ２（例えば、１１０℃）以上になると蒸気発生部１１に貯えられた水が無いと判定するよう構成している。
【００２５】
マイクロコンピュータ（制御手段）２３には、時間カウントを行う機能も備えており、鍋温度検知手段６のアナログ電圧と、温度検知手段１５のアナログ電圧を基に、鍋加熱手段３と蓋加熱手段１３の制御を行うよう構成している。
【００２６】
ここで、マイクロコンピュータ（制御手段）２３は、水有無検知手段２１の水無し検知結果に対応した水無し炊飯シーケンスと水有り検知結果に対応した水有り炊飯シーケンスとを有し、水無し検知結果に対応した水無し炊飯シーケンスでは、水有り検知結果に対応した水有り炊飯シーケンスより小さい消費電力、すなわち小さい消費電力量で鍋加熱手段３および蓋加熱手段１３を制御するよう構成している。
【００２７】
表示手段２４は、水有無検知手段２１による水有り無しの結果を表示するもので、図６に示すように、ＬＣＤ２５で構成し、このＬＣＤ２５は炊飯残時間などの炊飯に関する情報の表示機能も兼ねている。炊飯途中で水有りと検知した場合には、炊飯終了後にＬＣＤ２５により「給水タンク水あり」という表示を点灯させる。炊飯途中で水無しと検知した場合には、炊飯終了後にＬＣＤ２５により「給水タンク水なし」という表示を点灯させる。
【００２８】
報知手段２６は、水有無検知手段２１による水有り無しの結果を報知するもので、図６に示すように、スピーカー２７で構成し、このスピーカー２７は炊飯残時間などの炊飯に関する情報の報知機能も兼ねている。炊飯途中で水有りと検知した場合には、炊飯終了後に、スピーカーにより「給水タンク水あり」という報知をする。炊飯途中で水無しと検知した場合には、炊飯終了後に、スピーカー２７により「給水タンク水なし」という報知をする。なお、２８は炊飯開始スイッチである。
【００２９】
上記構成において図７〜図９を参照しながら動作、作用を説明する。使用者が所定量の水を給水タンク８に準備し、炊飯器本体１にセットし炊飯開始スイッチ２８を操作した場合には、所定のプログラムにしたがって、ポンプ９を駆動し給水タンク８に入れた水を蒸気発生部１１に貯留させるとともに、鍋加熱手段３を制御して炊飯工程を実施する。炊飯工程は、図７または図８に示すように、浸水、炊き上げ、蒸らしの各工程で進行していき、浸水工程にて米粒の澱粉の糊化が始まる直前の温度（約５０℃）に水温を一定時間維持することで、短時間で米粒に十分な吸水を行わせる。つぎに、炊き上げ工程にて高火力で一気に加熱を行い、鍋２の温度Ｔａが約１３０℃付近まで上昇した時点で炊き上げ工程を終了する。
【００３０】
つぎに、蒸らし工程に入り、この蒸らし工程の初期に水有無検知手段２１が蒸気発生部１１に水が有るか無いかの判断を行う。蒸気発生部１１に貯留された水は、炊き上げ工程の途中から蓋加熱手段１３に通電するとともに、炊飯中に発生する蒸気の潜熱により蓋加熱板１０の蒸気発生部１１で熱交換され、蓋温度Ｔｂは炊き上げ工程後半には、１００℃より低い温度（例えば、８０℃）で沸騰状態寸前となっている。
【００３１】
つぎに、図９に示すように、蒸らし工程を開始すると、水有無検知手段２１は、ステップＳ１にて時間カウントを開始した後、ステップＳ２にて時間ｔ１が経過すると、ステップＳ３にて蓋加熱手段１３によって蓋加熱板１０の加熱を行う。
【００３２】
蒸気発生部１１に水がある場合、蒸気発生部１１に加えられた熱量は水の気化熱として使用されるため、蒸気発生部１１の温度は水の沸点である１００℃近傍であり、蒸気発生部１１の空間には、沸騰状態にある水から蒸発した蒸気が満たされているため、水有無検知手段２１は１００℃近傍を検知している。そこで、ステップＳ４にて温度検知手段１５により検知した蒸気発生部１１（蓋加熱板１０）の温度とあらかじめ設定した１００℃より高い温度Ｔ２（例えば、１１０℃）とを比較し、蒸気発生部１１の温度が温度Ｔ２より低い場合はステップＳ５へ進む。
【００３３】
ステップＳ５にて水有無検知手段２１はあらかじめ設定した時間ｔ２（例えば、８０秒）に達してない場合はステップ３に戻り、以下同様の動作を繰り返す。時間ｔ２を経過している場合はステップＳ６に進み、ステップＳ６では蒸気発生部１１に水が有ると判断した水有り炊飯シーケンスを行い、蓋加熱手段１３により蓋加熱板１０を加熱し、沸騰状態にある水の一部が直ちに蒸発し蒸気を出す。この蒸気が蒸気噴出口１２より鍋２内に放出され、鍋２全体の加熱の局部的な温度上昇と上面とその近傍の米の乾燥を防止しつつ、鍋２内の底部の残留水分を除去することと米の糊化を促進させることができ、おいしい飯を炊き上げることができる。
【００３４】
そして、ステップＳ７にて表示手段２６に「給水タンク水あり」を表示し、ステップＳ８にて報知手段２６により「給水タンク水あり」を報知し、ステップＳ９の炊飯終了に進む。
【００３５】
蒸気発生部１１に水がない場合、蓋加熱手段１３によって、蓋加熱板１０の加熱を続けると、蒸気発生部１１は水の沸点である１００℃を超える温度に上昇し、水有無検知手段２１は１００℃を超える温度を検知する。そこで、ステップＳ４、Ｓ５にて蒸気発生部１１（蓋加熱板１０）の温度があらかじめ設定した時間ｔ２（例えば、８０秒）以内の時間ｔ３（図８参照）にて、あらかじめ設定した１００℃より高い温度Ｔ２（例えば、１１０℃）より高くなると蒸気発生部１１に水が無いと判断し、ステップＳ１０へ進む。ステップＳ１０では蒸気発生部１１に水がないと判断した水無し炊飯シーケンスを行う。
【００３６】
この水無し炊飯シーケンスでは、水有り炊飯シーケンスより小さい消費電力で蓋加熱手段１３を制御する。すなわち、水有り炊飯シーケンスでは、図７に示すように、鍋加熱手段３を１０００Ｗ、蓋加熱手段１３を５００Ｗとしているのに対し、水無し炊飯シーケンスでは、図８に示すように、鍋加熱手段３を８００Ｗ、蓋加熱手段１３を２００Ｗとしている。これにより、蒸気発生部１１に水が無いときは蒸気を発生するためのエネルギーを追加するのをなくすることで、蓋加熱板１０の温度上昇による鍋２内上層のご飯の乾燥を低減できるとともに、蓋加熱板１０を過加熱するのを防止することができ、蓋７や蓋加熱板１０が変形や故障するのをなくすことができ、信頼性を向上することができる。
【００３７】
そして、ステップＳ１１にて表示手段２６に「給水タンク水なし」を表示し、ステップＳ１２にて報知手段２６により「給水タンク水なし」を報知し、ステップＳ１３の炊飯終了に進む。
【００３８】
なお、水無し炊飯シーケンスでは、水有無検知手段２１により水無しを検知したとき、蓋加熱板１０の温度が１００℃を超えていると、鍋２内のご飯の表面が乾燥しやすくなるため、図８に示すように、所定時間経過する時間ｔ４まで加熱を停止した後、加熱するようにしている。
【００３９】
また、米を炊飯するには、米の糊化を進行させる必要があり、この糊化に必要な熱エネルギーは米の種類によって異なる。例えば、白米に対して玄米は糊化しにくいため、鍋加熱手段３および蓋加熱手段１３のオン時間を長くして消費電力を増やす必要があり、また、無洗米は白米より澱粉の溶出が多く、水を吸収しにくいため、熱エネルギーを大きくする必要がある。このため、マイクロコンピュータ（制御手段）２３は、白米、無洗米、玄米などの米の種類や炊き方に応じた炊飯メニューと、炊飯メニューを選択する選択手段（図示せず）とを有し、選択された炊飯メニューに応じて消費電力量を変更することで、米の種類や炊き方に応じた加熱が可能となり、また、水の有無に応じて消費電力量を調整するので、省電力炊飯が可能な炊飯器を提供することができる。
【００４０】
以上のように、本実施の形態においては、マイクロコンピュータ（制御手段）２３は、水有無検知手段２１の水無し検知結果に対応した水無し炊飯シーケンスと水有り検知結果に対応した水有り炊飯シーケンスとを有し、水無し炊飯シーケンスの消費電力量を水有り炊飯シーケンスの消費電力量より少なくなるよう構成したので、蓋加熱板１０に設けた蒸気発生部１１に水が有るときは蒸気を発生することができてその蒸気を最大限に利用した制御を行って調理性能を向上することができ、蒸気発生部１１に水が無いときは蒸気を発生するためのエネルギーを追加するのをなくすることで、蓋加熱板１０の温度上昇による鍋２内上層のご飯の乾燥を低減できるとともに、蓋加熱板１０を過加熱するのを防止することができ、蓋７や蓋加熱板１０が変形や故障するのをなくすことができ、信頼性を向上することができる。また、水有り時と水無し時とでそれぞれ必要な消費電力量で炊飯できるので、省電力炊飯が可能な炊飯器を提供することができる。
【００４１】
また、水無し炊飯シーケンスでは、水有り炊飯シーケンスより小さい消費電力で鍋加熱手段３と蓋加熱手段１３を制御するようにしたので、蓋加熱板１０に設けた蒸気発生部１１に水が無いときに蓋加熱板１０の熱容量が小さくなっても、印加する消費電力を小さくするので、温度変動幅を小さくすることができ、瞬間的に蓋加熱板１０の温度が上昇するのを防止することができる。
【００４２】
また、水有無検知手段２１による水有り無しの結果を表示する表示手段２４を備えたので、使用者が今回の炊飯時に蓋加熱板１０に設けた蒸気発生部１１に水があったがどうかを知ることができ、水の有無による炊飯性能の差を確認することができる。その結果、つぎの炊飯での水の入れ忘れを防止することができる。
【００４３】
また、水有無検知手段２１による水有り無しの結果を報知する報知手段２６を備えたので、使用者が今回の炊飯時に蓋加熱板１０に設けた蒸気発生部１１に水があったがどうかを認識することができ、水の有無による炊飯性能の差を確認することができる。
【００４４】
なお、本実施の形態では、水無し炊飯シーケンスでは、水有り炊飯シーケンスより小さい消費電力で鍋加熱手段３と蓋加熱手段１３を制御するようにしているが、蓋加熱手段１３のみ水有り炊飯シーケンスより小さい消費電力で制御するようにしてもよく、同様の作用、効果を得ることができる。
【００４５】
（実施の形態２）
図１に示すマイクロコンピュータ（制御手段）２３は、水無し検知結果に対応した水無し炊飯シーケンスでは、水有り検知結果に対応した水有り炊飯シーケンスより小さい通電率、すなわち小さい消費電力量で鍋加熱手段３と蓋加熱手段１３を制御するようにしている。他の構成は上記実施の形態１と同じである。
【００４６】
上記構成において図１０を参照しながら動作を説明する。なお、浸水、炊き上げの各工程の動作および蒸らし工程での蒸気発生部１１に水がある場合の動作は、上記実施の形態１の動作と同じであるので説明を省略する。
【００４７】
蒸気発生部１１に水がない場合、蓋加熱手段１３によって、蓋加熱板１０の加熱を続けると、蒸気発生部１１は水の沸点である１００℃を超える温度に上昇し、水有無検知手段２１は１００℃を超える温度を検知する。そこで、蒸気発生部１１（蓋加熱板１０）の温度が所定の時間（例えば、８０秒）以内の時間ｔ３（図１０参照）にて、あらかじめ設定した１００℃より高い温度Ｔ２（例えば、１１０℃）より高くなると蒸気発生部１１に水が無いと判断し、水無し炊飯シーケンスを行う。
【００４８】
この水無し炊飯シーケンスでは、図１０に示すように、水有り炊飯シーケンスより小さい通電率で鍋加熱手段３と蓋加熱手段１３を制御する。これにより、蓋加熱板１０に設けた蒸気発生部１１に水が無いときに蓋加熱板１０の熱容量が小さくなっても、温度の上昇時間を短くしているので、温度上昇を抑えることができる。
【００４９】
なお、水無し炊飯シーケンスでは、水有無検知手段２１により水無しを検知したとき、蓋加熱板１０の温度が１００℃を超えていると、鍋２内のご飯の表面が乾燥しやすくなるため、図１０に示すように、所定時間経過する時間ｔ４まで加熱を停止した後、加熱するようにしている。
【００５０】
以上のように、本実施の形態においては、水無し炊飯シーケンスでは、水有り炊飯シーケンスより小さい通電率で鍋加熱手段３と蓋加熱手段１３を制御するようにしたので、蓋加熱板１０に設けた蒸気発生部１１に水が無いときに蓋加熱板１０の熱容量が小さくなっても、温度の上昇時間を短くしているので、温度上昇を抑えることができ、瞬間的に蓋加熱板１０の温度が上昇するのを防止することができる。
【００５１】
なお、本実施の形態では、水無し炊飯シーケンスでは、水有り炊飯シーケンスより小さい通電率で鍋加熱手段３と蓋加熱手段１３を制御するようにしているが、蓋加熱手段１３のみ水有り炊飯シーケンスより小さい通電率で制御するようにしてもよく、同様の作用、効果を得ることができる。
【産業上の利用可能性】
【００５２】
以上のように、本発明にかかる炊飯器は、蓋加熱板に設けた蒸気発生部に水が有るときは蒸気を発生することができてその蒸気を最大限に利用した制御を行って調理性能を向上することができ、蒸気発生部に水が無いときは蓋加熱板の温度上昇による鍋内上層のご飯の乾燥を低減できるとともに、蒸気を発生するためのエネルギーを追加するのをなくすることで、蓋加熱板を過加熱するのを防止することができるので、水の沸点以上の蒸気を利用してご飯の食味を向上させる炊飯器として有用である。
【図面の簡単な説明】
【００５３】
【図１】本発明の実施の形態１における炊飯器のブロック図
【図２】同炊飯器の断面図
【図３】同炊飯器の蓋加熱板の一部切欠した斜視図
【図４】同炊飯器の温度検知手段の断面図
【図５】同炊飯器の蓋加熱手段の平面図
【図６】同炊飯器の操作表示部の拡大正面図
【図７】同炊飯器の蓋加熱板に水がある場合の動作タイムチャート
【図８】同炊飯器の蓋加熱板に水がない場合の動作タイムチャート
【図９】同炊飯器の水有無検知工程を示すフローチャート
【図１０】本発明の実施の形態２における炊飯器の蓋加熱板に水がない場合の動作タイムチャート
【符号の説明】
【００５４】
１  炊飯器本体
２  鍋
３  鍋加熱手段
７  蓋
１０  蓋加熱板
１１  蒸気発生部
１３  蓋加熱手段
１５  蓋温度検知手段
２１  水有無検知手段
２３  マイクロコンピュータ（制御手段）
【図１】
2009022404.tif 000003
【図２】
2009022404.tif 000004
【図３】
2009022404.tif 000005
【図４】
2009022404.tif 000006
【図５】
2009022404.tif 000007
【図６】
2009022404.tif 000008
【図７】
2009022404.tif 000009
【図８】
2009022404.tif 000010
【図９】
2009022404.tif 000011
【図１０】
2009022404.tif 000012